(57)【要約】【課題】所望の水密性能を有するものでありながら、構造が簡単で低コストであり、取付作業性が良好な止水パネルの取付構造を提供する。【解決手段】パネル本体１と、パネル本体１の第２面部１１の幅方向両端部位に設けた左右の側方水密部材２と、前記下面に設けた下方水密部材３と、パネル本体１の第２面部１１の幅方向両端にそれぞれ設けた固定手段５と、を備えており、止水パネルは、下方水密部材３を床面に圧接し、固定手段５の掛止部７を建物開口部両端の縦枠１９の室内側角部に掛止させた状態で、固定手段５の締め具８によってベルト６を引張することで、側方水密部材２を縦枠１９の室外側見付面１９０に圧接した状態で、建物開口部の室外側下方部位に取り付けられる。【選択図】図１０
2016028182.tif 000002
【特許請求の範囲】
【請求項１】
第１面部と、第２面部と、上面と、下面と、左右の側面と、を備えたパネル本体と、
前記パネル本体の前記第２面部の幅方向両端部位に高さ方向に亘って設けた左右の側方水密部材と、前記下面に幅方向に亘って設けた下方水密部材と、
前記パネル本体の前記第２面部の幅方向両端にそれぞれ設けた固定手段と、
を備えた止水パネルの取付構造であって、
前記固定手段は、第１片と第２片とからＬ形状に形成された掛止部と、一端側が前記掛止部の第１片に連結された可撓性長尺部と、前記可撓性長尺部の他端側に設けられ、当該可撓性長尺部を引張した状態で締め付ける締め具と、からなり、
前記止水パネルは、前記下方水密部材を床面に圧接し、前記掛止部を建物開口部両端の縦枠の室内側見付面と見込面とで形成される室内側角部に掛止させた状態で、前記締め具によって前記可撓性長尺部を引張することで、前記側方水密部材を前記縦枠の室外側見付面に圧接した状態で、建物開口部の室外側下方部位に取り付けられる、
止水パネルの取付構造。
【請求項２】
前記パネル本体の前記第２面部には、前記側方水密部材の内方に隣接して当該側方水密部材よりも小さい突出寸法の当接部材が高さ方向に亘って設けてあり、
前記当接部材の前面はズレ止め部材から形成されており、
前記止水パネルは、前記側方水密部材が圧縮状態で前記室外側見付面に圧接し、前記当接部材の前記ズレ止め部材が前記室外側見付面に圧接した状態で、取り付けられている、
請求項１に記載の止水パネルの取付構造。
【請求項３】
前記パネル本体の前記第２面部には、前記側方水密部材の内方に近接して、前記可撓性長尺部のガイド受部が設けてあり、前記ガイド受部の内方に離間して、前記締め具が設けてあり、
前記可撓性長尺部は、前記締め具と前記ガイド受部間で前記第２面部に沿って開口幅方向に延びる第１部分と、前記ガイド受部を介して前記第２面部から離間する方向に延びる第２部分と、からなり、
前記第２部分に前記掛止部の第１片が連結されている、
請求項１、２いずれか１項に記載の止水パネルの取付構造。
【請求項４】
前記第２面部には、少なくとも、前記ガイド受部に位置して開口が形成されており、
前記ガイド受部は、前記開口を跨ぐように設けたプレートと、前記プレートのパネル本体端部側に形成したガイド片と、からなり、
前記第２面部に設けた前記締め具から開口幅方向に延びる前記第１部分は、前記プレートの裏側を通って、前記ガイド片に案内されて引き出されて第２部分となる、
請求項３に記載の止水パネルの取付構造。
【請求項５】
前記建物開口部は、スライド式の２枚の扉体によって開閉され、
各扉体は、建物開口部の室内側に位置して開口幅方向に移動するようになっており、
前記縦枠の前記室内側見付面に当接した前記掛止部の第２片と、前記扉体の移動経路と、の間には隙間が存在しており、
止水パネルを取り付けた状態で、扉体が開閉可能である、
請求項１〜４いずれか１項に記載の止水パネルの取付構造。
【請求項６】
前記建物開口部は、両開き戸を構成する２枚の扉体によって開閉され、
各扉体は、開口幅方向に延び、戸尻側見込面が建物開口部の左右の縦枠の見込面に近接対向した閉鎖姿勢と、開口幅方向に対して垂直状に室内側に向かって延びる開放姿勢と、の間で回動可能となっており、
前記縦枠の前記見込面に当接した前記掛止部の第１片と、閉鎖姿勢にある前記扉体の戸尻側見込面と、の間には隙間が存在しており、
前記側方水密部材を、パネル本体の前記第２面部に設けたスペーサを介して室内側に持ち出し状に設けることで、前記第２面部と前記建物開口部との間には、前記扉体の戸尻側部位の回動スペースが形成されており、
止水パネルを取り付けた状態で、扉体が開閉可能である、
請求項１〜４いずれか１項に記載の止水パネルの取付構造。
【発明の詳細な説明】
【技術分野】
【０００１】
本発明は、止水パネルの取付構造に係り、詳しくは、建物開口部の下方部位に取り付けて防水構造を構成する止水パネルの取付構造に関するものである。
【背景技術】
【０００２】
建物開口部を開閉する扉装置は、室内への雨水の浸入を防止する機能を備えているが、台風等による集中豪雨や局所的な豪雨（いわゆるゲリラ豪雨）が発生した場合の増水時には、建物開口部と、閉鎖姿勢の扉体と、の隙間から建物内への浸水のおそれがある。
【０００３】
建物外部の水が建物内に浸水するのを防ぐ要素として、止水パネルないし防水板を取り付けることが提案されているが（特許文献１、２参照）、より簡易な構造でより低コストの止水パネルを用いて、より迅速に止水パネルを取り付けて防水構造を得たいという要望がある。
【特許文献１】特許第４８１００５９号
【特許文献２】特許第５６９４０５４号
【発明の開示】
【発明が解決しようとする課題】
【０００４】
本発明は、所望の水密性能を有するものでありながら、構造が簡単で低コストであり、取付作業性が良好な止水パネルの取付構造を提供することを目的とするものである。
【課題を解決するための手段】
【０００５】
本発明が採用した技術手段は、
第１面部と、第２面部と、上面と、下面と、左右の側面と、を備えたパネル本体と、
前記パネル本体の前記第２面部の幅方向両端部位に高さ方向に亘って設けた左右の側方水密部材と、前記下面に幅方向に亘って設けた下方水密部材と、
前記パネル本体の前記第２面部の幅方向両端にそれぞれ設けた固定手段と、
を備えた止水パネルの取付構造であって、
前記固定手段は、第１片と第２片とからＬ形状に形成された掛止部と、一端側が前記掛止部の第１片に連結された可撓性長尺部と、前記可撓性長尺部の他端側に設けられ、当該可撓性長尺部を引張した状態で締め付ける締め具と、からなり、
前記止水パネルは、前記下方水密部材を床面に圧接し、前記掛止部を建物開口部両端の縦枠の室内側見付面と見込面とで形成される室内側角部に掛止させた状態で、前記締め具によって前記可撓性長尺部を引張することで、前記側方水密部材を前記縦枠の室外側見付面に圧接した状態で、建物開口部の室外側下方部位に取り付けられる、
止水パネルの取付構造、である。
【０００６】
１つの態様では、前記パネル本体の前記第２面部には、前記側方水密部材の内方（パネル本体端部から離間する側）に隣接して当該側方水密部材よりも小さい突出寸法の当接部材が高さ方向に亘って設けてあり、
前記当接部材の前面はズレ止め部材から形成されており、
前記止水パネルは、前記側方水密部材が圧縮状態で前記室外側見付面に圧接し、前記当接部材の前記ズレ止め部材が前記室外側見付面に圧接した状態で、取り付けられている。
１つの態様では、前記当接部は、非弾性部材からなるベースと、前記ベースの前面に設けたズレ止め弾性部材と、からなる。
【０００７】
１つの態様では、前記パネル本体の前記第２面部には、前記側方水密部材の内方に近接して、前記可撓性長尺部のガイド受部が設けてあり、前記ガイド受部の内方に離間して、前記締め具が設けてあり、
前記可撓性長尺部は、前記締め具と前記ガイド受部間で前記第２面部に沿って開口幅方向に延びる第１部分と、前記ガイド受部を介して前記第２面部から離間する方向に延びる第２部分と、からなり、
前記第２部分に前記掛止部の第１片が連結されている。
前記側方水密部材の内方に隣接して当接部材を設けた態様では、前記ガイド受部は、前記当接部材の内方に近接して設けられる。
【０００８】
１つの態様では、前記第２面部には、少なくとも、前記ガイド受部に位置して開口が形成されており、
前記ガイド受部は、前記開口を跨ぐように設けたプレートと、前記プレートのパネル本体端部側に形成したガイド片と、からなり、
前記第２面部に設けた前記締め具から開口幅方向に延びる前記第１部分は、前記プレートの裏側を通って、前記ガイド片に案内されて引き出されて第２部分となる。
１つの態様では、前記第１部分の締め具側は第２面部の外側に位置しており、前記第１部分のガイド受部側は第２面部の内側に位置している。
【０００９】
１つの態様では、前記建物開口部は、スライド式の２枚の扉体によって開閉され、
各扉体は、建物開口部の室内側に位置して開口幅方向に移動するようになっており、
前記縦枠の前記室内側見付面に当接した前記掛止部の第２片と、前記扉体の移動経路と、の間には隙間が存在しており、
止水パネルを取り付けた状態で、扉体が開閉可能である。
【００１０】
１つの態様では、前記建物開口部は、両開き戸を構成する２枚の扉体によって開閉され、
各扉体は、開口幅方向に延び、戸尻側見込面が建物開口部の左右の縦枠の見込面に近接対向した閉鎖姿勢と、開口幅方向に対して垂直状に室内側に向かって延びる開放姿勢と、の間で回動可能となっており、
前記縦枠の前記見込面に当接した前記掛止部の第１片と、閉鎖姿勢にある前記扉体の戸尻側見込面と、の間には隙間が存在しており、
前記側方水密部材（当接部材を有する態様では、当該当接部材）を、パネル本体の前記第２面部に設けたスペーサを介して室内側に持ち出し状に設けることで、前記第２面部と前記建物開口部との間には、前記扉体の戸尻側部位の回動スペースが形成されており、
止水パネルを取り付けた状態で、扉体が開閉可能である。
【発明の効果】
【００１１】
本発明に係る止水パネルは、パネル本体と、左右の側方水密部材、下方水密部材、及び左右の固定手段からなり、シンプルな構造でありながら、既設の建物開口部の左右の縦枠を利用して建物開口部の室外側の下方部位に簡単に取り付けて水密構造を得ることができる。
【００１２】
本発明では、止水パネルを取り付けた状態において、当接部材のズレ止め部材が建物開口部の左右の縦枠の室外側見付面に圧接されることで、止水パネルの持ち上がりを可及的に防止し、止水パネルの下方水密部材と床面との水密状態を維持する。
【００１３】
本発明では、止水パネル設置後においても、扉体の開閉が可能であり、水密構造を維持した状態で、建物開口部からの出入りが可能である。
【図面の簡単な説明】
【００１４】
【図１】本実施形態に係る止水パネルの上面図及び正面図（室内側面部）である。正面図において、固定手段の掛止部は省略されている。
【図２】図１の上面図の部分拡大図である。固定手段の部分については、便宜上、上面ではなくパネル本体内部を示している。
【図３】図１の正面図の部分拡大図である。
【図４】本実施形態に係る止水パネルの縦断面図である。
【図５】止水パネルの固定手段を示す図である。
【図６】止水パネルの固定手段のベルト受け部を示す図である。
【図７】止水パネル本体を構成する上側半部と下側半部の接続部を示す図である。
【図８】本実施形態に係る止水パネルの第１の取付態様を示す室外側から見た正面図である。
【図９】本実施形態に係る止水パネルの第１の取付態様を示す平面図である。上図は、止水パネルが取り付けられた状態であって、ベルトは緊張状態にあり、下図は、止水パネルが取り付けられる前の状態であって、ベルトは弛んだ状態にある。
【図１０】図９の部分拡大図である。
【図１１】本実施形態に係る止水パネルの第２の取付態様を示す室外側から見た正面図である。
【図１２】上図は、側方水密部材が圧縮される前を状態を示す図、下図は、本実施形態に係る止水パネルの第２の取付態様を示す平面図であり、上図に示す側方水密部材が圧縮状態にある。
【図１３】図１２下図の部分拡大図である。
【発明を実施するための形態】
【００１５】
本発明の実施形態を図面に基づいて説明する。図１に示すように、止水パネルは、開口幅方向に横長の長方形のパネル本体１からなる。パネル本体１は、建物開口部に設置した時に室外側に面する第１面部１０と、第１面部１０を反対側の第２面部１１と、上面１２と、下面１３と、左右の側面１４と、を備えており、第２面部１１を室内側に向けて、建物開口部に取り付けられる。パネルの側面１４には、塞ぎ要素１４０（図２参照）によって密閉されており、側面の隙間から水が浸入しないようにコーティングされている。パネル本体１の上面１２には取手１２０が設けてある。
【００１６】
パネル本体１の幅寸法は、止水パネルが設置される開口幅寸法よりも幾分（例えば＋１００ｍｍ）大きい寸法を備えている。パネル本体１は、想定水位（例えば、床面から４００ｍｍ）よりも大きい高さ寸法（例えば、５００ｍｍ）を備えている。図示の態様では、パネル本体１は、低背の２枚のパネル１Ａ、１Ｂを高さ方向に重ねて連結することで構成されている。パネル１Ａの下端とパネル１Ｂの上端との間には全幅に亘って防水テープ１５が設けてあり（図７参照）、パネル本体１の正面（高さ方向中央部位）からの水の浸入が防止されている。図示の態様では、パネル１Ａ、１Ｂの２部材を高さ方向に連結してパネル本体１を形成しているが、パネル本体１を一部材から一体的に形成してもよい。
【００１７】
図１、図３に示すように、パネル本体１の第２面部１１は、高さ方向の２箇所（各パネル１Ａ、１Ｂの高さ方向中間部位）において幅方向に亘って切り欠かれており横長の開口１６が形成されている。図示の態様では、パネル本体１の第２面部１１に開口１６を形成しているが、第２面部１１は開口を備えていなくてもよい。
【００１８】
第２面部１１の幅方向両端部には、全高に亘って側方水密部材２が突設されている。パネル本体１の下面１３には、全幅に亘って下方水密部材３が設けてある。止水パネルは、幅方向両端の側方水密部材２及び下端の下方水密部材３によって三方において水密部材を設けてある。本実施形態では、側方水密部材２、下方水密部材３は、シリコーンスポンジから形成されているが、その他、クロロプレンゴム、ＥＰＤＭ等から形成してもよい。側方水密部材２、下方水密部材３は、弾性部材であり、止水パネルの取付時の押圧力である程度圧縮され、圧縮状態で後述する縦枠１９の第１見付面１９０、床面ＦＬに密着して水密構造を提供する。
【００１９】
第２面部１１の幅方向両端部には、側方水密部材２の内側（長さ方向端部から離間する側）に隣接して、側方水密部材２よりも低い突出寸法の当接部材４が突設されている。当接部材４は、第２面部１１に固定されたベース（本実施形態では、アルミ角材）４０と、ベース４０の前面に設けたズレ止め部材（本実施形態では、ズレ止め緩衝ゴム）４１からなる。ズレ止め部材４１は、後述する縦枠１９の第１見付面１９０に圧接ないし密着した時に、密着力ないし摩擦力によって、縦枠１９の第１見付面１９０に対する止水パネルの持ち上がりを防止する。ズレ止め部材４１は典型的には弾性を備えているが、当接部材４のベース４０は非弾性部材であり、取り付け時の押圧力によって圧縮されない。
【００２０】
止水パネルは、パネル本体１に設けた固定手段５によって、建物開口部の下方部位に室外側から取り付けられる。図２、図５に示すように、固定手段５は、帯状のベルト６と、ベルト６の第１端部に設けた掛止部７と、ベルト５の第２端部に設けた締め具８と、からなる。
【００２１】
図１に示すように、止水パネルは、各左右端部に上下に離間して合計４つの固定手段５を備えている。なお、固定手段５は、少なくとも左右に１つずつあればよく、その数は４つに限定されない。固定手段５は、第２面部１１の横長の開口１６に位置して設けてある。より具体的には、締め具８の取付ベース８０は、パネル本体１の幅方向端部から内側に離間した位置で開口１６を跨ぐように第２面部１１に取り付けられており、第２端部が締め具８に連結されたベルト６は、締め具８から開口１６に沿ってパネル本体１の幅方向端部に向かって延びている。第２面部１１の幅方向端部に近い部位には、当接部材４に隣接して、開口１６を跨ぐようにベルトのガイド受部６０が固定されており、締め具８から開口１６に沿って水平方向にパネル本体１の幅方向端部に向かって延びるベルト６は、ベルトのガイド受部６０によって折り曲げられて変向して第２面部１１から離間するように延びるようになっている。
【００２２】
図６に示すように、ベルトのガイド受部６０は、方形状のプレート６００からなり、開口１６を跨ぐように第２面部１１に固定され、締め具８から離間する側の縁部には凹状の切り欠き部が形成され、凹部の底側には、第２面部１１から離間するようにプレート６００から湾曲状に立ち上がるガイド片６０１が形成されている。
【００２３】
ベルト６は、締め具８からパネル本体１の幅方向端部に向かって、横長の開口１６に沿ってパネル本体１の幅方向に延び、ベルトのガイド受部６０のプレート６００の裏側を通って、ガイド片６０１に掛け回され、ガイド片６０１によって、パネル本体１の第２面部１１から離れる方向に引き出されて延びる。
【００２４】
ベルト６の第１端部に連結された掛止部７は、基端がベルト６の第１端部に連結された第１片７０と、第１片７０の先端（基端とは反対側）から第１片７０に対して垂直状に延びる第２片７１と、からＬ形状に形成されており、いわば引掛金具を構成している。第１片７０、第２片７１は共に所定幅を備えた板状体であり、第２片７１の内面には、滑り止め要素（本実施形態では、滑り止めゴム）７２が設けてある。なお、第１片７０と第２片７１の角度を９０度よりも僅かに鋭角にして、第１片７０が見込面１９２に対してより密着するようにしてもよい。
【００２５】
本実施形態では、締め具８は、いわゆるキャッチクリップであり、第２面部１１に固定された取付ベース８０と、支軸（図示せず）を介して取付ベース８０に回動可能に連結された回動操作レバー８１と、一端が回動操作レバー８１に連結され、他端がベルト６の第２端部に連結されたアーム８２と、アーム８２に外装したコイルスプリング８３と、を備えており、回動操作レバー８１は、第２面部１１に近接対向した第１姿勢と、第２面部１１に対して垂直状の第２姿勢との間で回動可能である。このようなキャッチクリップ自体は公知であるので、さらなる詳細な説明は省略する。回動操作レバー８１を第２姿勢から第１姿勢とすることで、ベルト６を引っ張って緊張状態で締め付けるようになっている。また、ベルト６の弛みを可及的に防止するためには、締め具８をパネル本体１の端部になるべく近づけて配置することが有利である。
【００２６】
図８〜図１０を参照しつつ、本実施形態に係る止水パネルの第１の取付態様について説明する。第１の取付態様において、止水パネルは、２枚のスライド扉体１７からなる自動ドアによって開閉される建物開口部の下方部位の室内側に設置される。建物開口部は、左右の壁ないし固定パネル１８の端部に設けた左右の縦枠１９間に形成されている。縦枠１９は、断面視方形状を有しており、室外側に面する第１見付面１９０、第１見付面１９０と反対側の第２見付面１９１、見込面１９２を備えている。
【００２７】
２枚の扉体１７は、開口幅方向にスライド移動して建物開口部を開閉する。図８、図９に示すように、建物開口部全閉状態では、２枚の扉体１７の戸先側縦框１７０が接触しており、図１０上図に示すように、各扉体１７の戸尻側縦框１７１の室外側見付面１７１０と、縦枠１９の第２見付面１９１が、隙間を存して対向離間している。建物開口部全開状態では、各扉体１７は左右の固定パネル１８に沿って収納されることで、各扉体１７の戸先側縦框１７０の室外側見付面１７００と、縦枠１９の第２見付面１９１は、隙間を存して対向離間することになる。
【００２８】
止水パネルのパネル本体１は、建物開口部の開口幅寸法よりもやや大きい幅寸法を備えており、建物開口部の室外側に位置して、左右の縦枠１９間に取り付けられる。止水パネルは、下面１３の下方水密部材３を床面ＦＬに圧接した状態で、第２面部１１の幅方向両端部に設けた側方水密部材２を、建物開口部左右の縦枠１９の第１見付面１９０に当接させ（この状態では、当接部材４と第１見付面１９０は離間している）、固定手段５の掛止部７の第１片７０を縦枠１９の見込面１９２に当接させると共に、第２片７１を縦枠１９の第２見付面１９１に当接させることで、当該掛止部７を縦枠１９の室内側の角部に掛止させた状態（この時、ベルト６は緩んでいる）とし、その状態から、留め具８の回動操作レバー８１を回動して、ベルト６を引っ張って緊張状態に締め付けて固定する。
【００２９】
掛止部７が縦枠１９の室内側の角部（第２見付面１９１と見込面１９２）に掛止した状態で、ベルト６を引っ張ることで、縦枠１９に対してパネル本体１が押圧され、側方水密部材２は縦枠１９の第１見付面１９０に圧接され、側方水密部材２が圧縮されることで、第２面部１１に側方水密部材２に隣接して設けた当接部材４のズレ止め部材４１が縦枠１９の第１見付面１９０に圧接される（図１０上図参照）。止水パネルを取り付けた状態において、当接部材４のズレ止め部材４１が縦枠１９の第１見付面１９０に圧接されることで、止水パネルの持ち上がりを可及的に防止し、止水パネルの下方水密部材３と床面ＦＬとの水密状態を維持する。
【００３０】
止水パネルを取り付けた状態において、ベルト６は、ベルトのガイド受部６０によって折り曲げられた状態（第２面部１１に沿って開口幅方向に延びる第１部分６Ａと、第２面部１１から離間するように室内側へ向かって延びる第２部分６Ｂ）で緊張状態にあり、掛止部７の第１片７０は、第２部分６Ｂと直線状にある。第１部分６Ａは、締め具８に連結された側が第２面部１１の外側に位置し、ベルトのガイド受部６０に近い側が第２面部１１の内側に位置しており、留め具８を締め付けてベルト６を引っ張る力を、止水パネルの側方水密部材２及び当接部材４を縦枠１９の第１見付面１９０に押し付ける力として良好に作用させる。
【００３１】
止水パネルを取り付けた状態において、掛止部７の第２片７１と、扉体１７の戸尻側縦框１７１の室外側見付面１７１０（開口部全閉時）、及び、戸先側縦框１７０の室外側見付面１７００（開口部全開時）、との間には隙間が存在しており、掛止部７が妨げとなることなく、扉体１７の開閉が可能であり、建物開口部を開放して止水パネルを跨いで出入りすることができる。
【００３２】
図１１〜図１３を参照しつつ、本実施形態に係る止水パネルの第２の取付態様について説明する。第２の取付態様において、止水パネルは、２枚の扉体１７からなる両開きドアによって開閉される建物開口部の下方部位の室内側に設置される。建物開口部は、左右の壁ないし固定パネル１８の端部に設けた左右の縦枠１９間に形成されている。縦枠１９は、断面視方形状を有しており、室外側に面する第１見付面１９０、室内側に面する第２見付面１９１、見込面１９２を備えている。
【００３３】
２枚の扉体１７は、戸先側縦框においてピボット軸Ｐを中心として回動可能に装着されており、室内側に向かって回動することで、建物開口部を開放する。建物開口部全閉状態では、２枚の扉体１７は開口幅方向に沿って延び、２枚の扉体１７の戸先側縦框１７０が接触しており、各扉体１７の戸尻側縦框１７１の見込面１７１１は、縦枠１９の見込面１９２に隙間を存して近接している。建物開口部全開状態では、各扉体１７は室内側にほぼ９０度回動することで、開口幅方向に対して垂直姿勢の左右の扉体１７間に開口部が形成される。この時、各扉体１７の戸尻側縦框１７１の見込面１７１１は、縦枠１９の第１見付面１９０よりも室外側に位置している（図１２、図１３参照）。
【００３４】
止水パネルのパネル本体１は、建物開口部の開口幅寸法よりもやや大きい幅寸法を備えており、建物開口部の室外側に位置して、左右の縦枠１９間に取り付けられる。図１２に示すように、パネル本体１の第２面部１１の幅方向両端には、高さ方向に亘って断面視方形状のスペーサ９が固定されている。スペーサ９は、パネル本体１の第２面部１１に対向する第１見付面９０と、反対側の第２見付面９１と、内側の第１見込面９２と、外側の第２見込面９３と、を備えている。スペーサ９の第１見込面９２と縦枠１９の見込面１９２は同一垂直面上にある。スペーサ９は、第１見付面９０とパネル本体１の第２面部１１との間に防水用ゴムシート（図示せず）を挟んで第２面部１１に固定されている。スペーサ９の下端面はプレート（図示せず）で閉塞されており、かつ、防水用ゴム（図示せず）が、下方水密部材３と側方水密部材２の下端との間を塞ぐように設けてある。スペーサ９の第２見付面９１に側方水密部材２及び当接部材４が設けてある。側方水密部材２及び当接部材４の説明については、既述の記載を援用することができる。側方水密材２及び当接部材４を、第２面部１１からスペーサ９を介して持ち出し状に設けることで、建物開口部の室外側下方部位に止水パネルを取り付けた状態において、扉体１７の戸尻側縦框１７１の回動スペースを確保している。図１２、図１３において、戸尻側縦框１７１の見込面１７１１がさらに室外側に突出するような場合であっても、扉体１７の戸尻側縦框１７１の回動が可能となっている。
【００３５】
止水パネルは、下面１３の下方水密部材３を床面ＦＬに圧接した状態で、第２面部１１の幅方向両端部に設けた側方水密部材２を、建物開口部左右の縦枠１９の第１見付面１９０に接触させ、固定手段５の掛止部７の第１片７０を縦枠１９の見込面１９２に接触させると共に、第２片７１を縦枠１９の第２見付面１９１に接触させることで、当該掛止部７を縦枠１９の室内側の角部に掛止させた状態（この時、ベルト６は緩んでいる）から、留め具８の回動操作レバー８１を回動して、ベルト６を引っ張って緊張させた状態で締め付けて固定する。
【００３６】
掛止部７が縦枠１９の室内側の角部に掛止した状態で、ベルト６を引っ張ることで、縦枠１９に対してパネル本体１が押圧され、側方水密部材２は縦枠１９の第１見付面１９０に圧接され、側方水密部材２が圧縮されることで、第２面部１１に側方水密部材２に隣接して設けた当接部材４のズレ止め部材４１が縦枠１９の第１見付面１９０に圧接される（図１３参照）。止水パネルを取り付けた状態において、当接部材４のズレ止め部材４１が縦枠１９の第１見付面１９０に圧接されることで、止水パネルの持ち上がりを可及的に防止し、止水パネルの下方水密部材３と床面ＦＬとの水密状態を維持する。
【００３７】
止水パネルを取り付けた状態において、ベルト６は、ベルトのガイド受部６０によって折り曲げられた状態（見付方向に延びる第１部分６Ａと見込方向に延びる第２部分６Ｂ）で緊張状態にあり、掛止部７の第１片７０は、第２部分６Ｂと直線状にある。第１部分６Ａは、締め具８に連結された側が第２面部１１の外側に位置し、ベルトのガイド受部６０に近い側が第２面部１１の内側に位置しており、留め具８を締め付けてベルト６を引っ張る力を、止水パネルの側方水密部材２及び当接部材４を縦枠１９の第１見付面１９０に押し付ける力に良好に作用させる。
【００３８】
止水パネルを取り付けた状態において、扉体１７の戸尻側縦框１７１の見込面１７１１と、掛止部７の第１片７０との間には隙間が存在しており、さらに、第２面部１１と建物開口部との間には、扉体１７の戸尻側縦框１７１の回動スペースが形成されていることから、扉体１７の開閉が可能であり、建物開口部を開放して止水パネルを跨いで出入りすることができる。
【符号の説明】
【００３９】
１  パネル本体
１０  第１面部
１１  第２面部
１２  上面
１３  下面
１４  左右の側面
２  側方水密部材
３  下方水密部材
４  当接部材
４０  ベース
４１  ズレ止め部材
５  固定手段
６  ベルト（可撓性長尺部）
６Ａ  第１部分
６Ｂ  第２部分
６０  ガイド受部
７  掛止部
７０  第１片
７１  第２片
８  締め具
９  スペーサ
１７  扉体
１９  縦枠
１９０  第１見付面（室外側見付面）
１９１  第２見付面（室内側見付面）
１９２  見込面
【図１】
2016028182.tif 000003
【図２】
2016028182.tif 000004
【図３】
2016028182.tif 000005
【図４】
2016028182.tif 000006
【図５】
2016028182.tif 000007
【図６】
2016028182.tif 000008
【図７】
2016028182.tif 000009
【図８】
2016028182.tif 000010
【図９】
2016028182.tif 000011
【図１０】
2016028182.tif 000012
【図１１】
2016028182.tif 000013
【図１２】
2016028182.tif 000014
【図１３】
2016028182.tif 000015